(57)【要約】【課題】バーナの本数を減らしながら、炉内の温度を均一に保つことを可能とした加熱炉を提供する。【解決手段】加熱室２の炉幅方向において距離Ｄをもって向かい合う両側の側壁２ｃ，２ｄに設置されると共に、加熱室２の炉長方向に所定の間隔Ｌで並んで設けられた複数のバーナ３を備え、バーナ３は、自励振動により第１の流体噴出口４から噴出される第１の流体Ｒ１の向きを周期的に変化させるノズル構造６を有し、加熱室２の炉長方向において隣り合う一方のバーナ３Ａと他方のバーナ３Ｂとの互いに接近する方向に拡開した拡開部１０の壁面１０ａ，１０ｂに沿った延長線Ｌ１，Ｌ２の互いの交点Ｃから、一方のバーナ３Ａ及び他方のバーナ３Ｂが設置される側壁２ｃまでの距離をＤ１としたときに、０．３Ｄ≦Ｄ１≦０．７Ｄの関係を満足する。【選択図】図２
2020051710.tif 000002
【特許請求の範囲】
【請求項１】
加熱室の内部に搬入された被加熱物を炉長方向に搬送しながら、前記被加熱物が前記加熱室の内部を通過する間に、前記被加熱物を加熱して前記加熱室の外部へと搬出する加熱炉であって、
前記加熱室の炉幅方向において距離Ｄをもって向かい合う両側の側壁に設置されると共に、前記加熱室の炉長方向に所定の間隔で並んで設けられた複数のバーナを備え、
前記バーナは、第１の流体を噴出する第１の流体噴出口と、前記第１の流体噴出口に向かって前記第１の流体を供給する流体供給路と、前記流体供給路の壁面に路幅方向に対向して開口した一対の開口部と、前記一対の開口部の間を連通する連通路と、前記流体供給路の壁面が前記一対の開口部から前記第１の流体噴出口に向かって路幅方向に拡開した拡開部とを有して、自励振動により前記第１の流体噴出口から噴出される前記第１の流体の向きを周期的に変化させるノズル構造を有し、
前記加熱室の炉長方向において隣り合う一方のバーナと他方のバーナとの互いに接近する方向に拡開した前記拡開部の壁面に沿った延長線の互いの交点から、前記一方のバーナ及び前記他方のバーナが設置される側壁までの距離をＤ１としたときに、
０．３Ｄ≦Ｄ１≦０．７Ｄ
の関係を満足することを特徴とする加熱炉。
【請求項２】
前記バーナは、前記第１の流体噴出口の周囲に位置して、第２の流体を噴出する第２の流体噴出口を有し、
前記第１の流体と前記第２の流体との何れか一方を燃料とし、何れか他方を酸化剤として、前記燃料と前記酸化剤との拡散燃焼により火炎を形成すると共に、
前記火炎の長さをＤ２としたときに、
０．３Ｄ≦Ｄ２≦０．７Ｄ
の関係を満足することを特徴とする請求項１に記載の加熱炉。
【発明の詳細な説明】
【技術分野】
【０００１】
本発明は、加熱炉に関する。
【背景技術】
【０００２】
工業プロセスにおいて使用される加熱炉では、被加熱物を均一に加熱し、品質の安定化を図るために、炉内温度の均一性が求められている（例えば、下記特許文献１，２を参照。）。
【０００３】
例えば、瓶ガラスの製造プロセスにおいては、溶融したガラス原料の均質化を図るため、フォアハースと呼ばれる加熱炉が使用されている。また、ガラス原料は、フォアハースの前段にある熔解炉にて１６００℃程度まで昇温・溶融され、フォアハースにて８００℃程度で均質化された後、後段の成形プロセスへと送られる。すなわち、フォアハースでは、溶融されたガラス原料が炉内を通過する間に、１６００℃から８００℃程度までゆっくりと降温されることになる。
【０００４】
均質なガラスを製造するためには、フォアハースの終端においてガラス原料が適切な温度であることが重要である。例えば、フォアハースの終端におけるガラス原料の温度勾配を深さ方向及び幅方向において比較的均一な温度とすることで、その粘度が変化せず、生成物が形成プロセスによって単純且つ均一に作製され得る。
【０００５】
フォアハースの炉内温度を維持するためには、例えば、炉内に設置したバーナの燃焼が利用される。フォアハースは、溶融されたガラス原料を均質化するため、炉内温度が均一であることが望ましい。
【０００６】
バーナは、例えば、フォアハースの炉幅方向において向かい合う両側の側壁に設置されて、ガラス原料の搬送方向（炉長方向）に対して垂直な方向（炉幅方向）に向かって火炎を噴射する。このとき、炉内温度を均一にするため、フォアハースの炉長方向に複数本のバーナを並べて設置することが望ましい。
【先行技術文献】
【特許文献】
【０００７】
【特許文献１】特表２０１７−５３１６１１号公報
【特許文献２】特開２０１８−０４４７３８号公報
【発明の概要】
【発明が解決しようとする課題】
【０００８】
ところで、上述した加熱炉では、炉内に設置されるバーナの本数が多くなると、イニシャルコストの増加に繋がる。また、バーナの本数が増加することにより、メンテナンスもより煩雑になるという問題がある。
【０００９】
一方、バーナの本数を減らすと、加熱炉の単位長さ当たりの燃焼量を維持するため、バーナ１本当たりの燃焼量を増加させなければならない。しかしながら、バーナの燃焼量の増加に伴って、バーナの火炎が伸長し、対面の側壁内部を火炎が舐めてしまうと、加熱炉の損傷の原因となってしまう。また、バーナの本数が少ない場合、隣り合う火炎との間隔が広がるために、炉内温度にムラができ易くなってしまう。
【００１０】
本発明は、このような従来の事情に鑑みて提案されたものであり、バーナの本数を減らしながら、炉内の温度を均一に保つことを可能とした加熱炉を提供することを目的とする。
【課題を解決するための手段】
【００１１】
上記目的を達成するために、本発明は以下の手段を提供する。
〔１〕  加熱室の内部に搬入された被加熱物を炉長方向に搬送しながら、前記被加熱物が前記加熱室の内部を通過する間に、前記被加熱物を加熱して前記加熱室の外部へと搬出する加熱炉であって、
前記加熱室の炉幅方向において距離Ｄをもって向かい合う両側の側壁に設置されると共に、前記加熱室の炉長方向に所定の間隔で並んで設けられた複数のバーナを備え、
前記バーナは、第１の流体を噴出する第１の流体噴出口と、前記第１の流体噴出口に向かって前記第１の流体を供給する流体供給路と、前記流体供給路の壁面に路幅方向に対向して開口した一対の開口部と、前記一対の開口部の間を連通する連通路と、前記流体供給路の壁面が前記一対の開口部から前記第１の流体噴出口に向かって路幅方向に拡開した拡開部とを有して、自励振動により前記第１の流体噴出口から噴出される前記第１の流体の向きを周期的に変化させるノズル構造を有し、
前記加熱室の炉長方向において隣り合う一方のバーナと他方のバーナとの互いに接近する方向に拡開した前記拡開部の壁面に沿った延長線の互いの交点から、前記一方のバーナ及び前記他方のバーナが設置される側壁までの距離をＤ１としたときに、
０．３Ｄ≦Ｄ１≦０．７Ｄ
の関係を満足することを特徴とする加熱炉。
〔２〕  前記バーナは、前記第１の流体噴出口の周囲に位置して、第２の流体を噴出する第２の流体噴出口を有し、
前記第１の流体と前記第２の流体との何れか一方を燃料とし、何れか他方を酸化剤として、前記燃料と前記酸化剤との拡散燃焼により火炎を形成すると共に、
前記火炎の長さをＤ２としたときに、
０．３Ｄ≦Ｄ２≦０．７Ｄ
の関係を満足することを特徴とする前記〔１〕に記載の加熱炉。
【発明の効果】
【００１２】
以上のように、本発明によれば、バーナの本数を減らしながら、炉内の温度を均一に保つことを可能とした加熱炉を提供することが可能である。
【図面の簡単な説明】
【００１３】
【図１】本発明の一実施形態に係る加熱炉の構成を示す透視斜視図である。
【図２】図１に示す加熱炉の構成を示す断面図である。
【図３】図１に示す加熱炉が備えるバーナの構成を示す正面図である。
【図４】図３に示すバーナが備える自励振動ノズルの構成を示す断面図である。
【図５】図４に示す自励振動ノズルよる動作を説明するための断面図である。
【図６】各実施例及び比較例のバーナの列方向における炉内の温度分布を示すグラフである。
【図７】各実施例及び比較例のバーナの軸方向における炉内の温度分布を示すグラフである。
【発明を実施するための形態】
【００１４】
以下、本発明の実施の形態について、図面を参照して詳細に説明する。
なお、以下の説明で用いる図面は、特徴をわかりやすくするために、便宜上特徴となる部分を拡大して示している場合があり、各構成要素の寸法比率などが実際と同じであるとは限らない。また、以下の説明において例示される寸法等は一例であって、本発明はそれらに必ずしも限定されるものではなく、その要旨を変更しない範囲で適宜変更して実施することが可能である。
【００１５】
（加熱炉）
本発明の一実施形態として、例えば図１及び図２に示す加熱炉１について説明する。
なお、図１は、加熱炉１の構成を示す透視斜視図である。図２は、加熱炉１の構成を示す断面図である。
【００１６】
本実施形態の加熱炉１は、溶融したガラス原料（被加熱物）の均質化を図るため、フォアハースと呼ばれる加熱炉に本発明を適用したものである。具体的に、この加熱炉１は、図１及び図２に示すように、炉長方向の一端側に被加熱物Ｓが搬入される搬入口２ａと、炉長方向の他端側に被加熱物Ｓが搬出される搬出口２ｂとが設けられた加熱室２を備えている。
【００１７】
加熱炉１は、加熱室２の内部に搬入された被加熱物Ｓを炉長方向に搬送しながら、被加熱物Ｓが加熱室２の内部を通過する間に、被加熱物Ｓを加熱して加熱室２の外部へと搬出する。また、加熱室２の内部は、断熱のために耐火物で構成されている。さらに、加熱室２の上部には、排ガス用のダクト（図示せず。）が設けられている。
【００１８】
加熱炉１は、被加熱物Ｓを加熱する加熱手段として、火炎Ｆｒを噴射する複数のバーナ３を備えている。複数のバーナ３は、加熱室２の炉幅方向において距離Ｄをもって向かい合う両側の側壁２ｃ，２ｄに設置されると共に、加熱室２の炉長方向に所定の間隔Ｌで並んで設けられている。なお、バーナ３の設置する数や間隔Ｌ等については、特に限定されるものではなく、適宜変更することが可能である。
【００１９】
（バーナ）
次に、上記バーナ３の具体的な構成について、図３、図４及び図５を参照しながら説明する。
なお、図３は、バーナ３の構成を示す正面図である。図４は、バーナ３が備える自励振動ノズル６の構成を示す断面図である。図５（ａ），（ｂ）は、自励振動ノズル６よる動作を説明するための断面図である。
【００２０】
バーナ３は、図３に示すように、第１の流体Ｒ１を噴出する第１の流体噴出口４と、第１の流体噴出口４の周囲に位置して、第２の流体Ｒ２を噴出する第２の流体噴出口５とを有している。本実施形態では、バーナ３の先端において、１つの第１の流体噴出口４と、第１の流体噴出口４を挟んだ上側及び下側に、それぞれ２つ（合計４つ）の第２の流体噴出口５が水平方向（第１の流体噴出口４の幅方向）に並んで設けられている。
【００２１】
バーナ３は、第１の流体Ｒ１と第２の流体Ｒ２との何れか一方（本実施形態では第１の流体Ｒ１）を燃料とし、何れか他方（本実施形態では第２の流体Ｒ２）を酸化剤として、燃料と酸化剤との拡散燃焼により火炎Ｆｒを形成する。
【００２２】
なお、本実施形態では、燃料として都市ガス（ＬＮＧ）を使用し、酸化剤として純酸素を使用している。一方、燃料及び酸化剤については、これらに必ずしも限定されるものではなく、使用可能な燃料及び酸化剤の中から適宜選択して用いることが可能である。
【００２３】
また、本実施形態では、バーナ３の先端に位置する第１の流体噴出口４や第２の流体噴出口５の数や配置等についても特に限定されるものではなく、その数や配置等を適宜変更することが可能である。
【００２４】
一方、燃料及び酸化剤を予め混合した流体を流体噴出口から噴出させて燃焼させた場合、流体噴出口の内側に火炎が入り込む逆火が発生し、バーナや周辺設備が損傷してしまう恐れがある。特に、酸素燃焼バーナや酸素富化燃焼バーナでは、逆火が生じ易い。このため、酸素燃焼バーナや酸素富化燃焼バーナでは、一般に燃料と酸化剤との噴出口を分け、それぞれを噴出した後に混合して燃焼させる拡散燃焼方式が採用されている。
【００２５】
（自励振動ノズル）
バーナ３は、図４に示すように、自励振動により第１の流体噴出口４から噴出される第１の流体Ｒ１の向きを周期的に変化させるノズル構造（以下、「自励振動ノズル」という。）６を有している。
【００２６】
自励振動ノズル６は、いわゆるフリップフロップノズルとして、先端の第１の流体噴出口４に向かって第１の流体Ｒ１を供給する流体供給路７と、流体供給路７の壁面に路幅方向に対向して開口した一対の開口部８ａ，８ｂと、一対の開口部８ａ，８ｂの間を連通する連通路９と、流体供給路７の壁面が一対の開口部８ａ，８ｂから第１の流体噴出口４に向かって路幅方向に漸次拡開した拡開部１０とを有している。
【００２７】
自励振動ノズル６では、図５（ａ），（ｂ）に示すように、流体供給路７から供給される第１の流体Ｒ１が第１の流体噴出口４から噴出される際に、拡開した拡開部１０の両側の壁面１０ａ，１０ｂに交互に付着することによって、第１の流体噴出口４から噴出される第１の流体Ｒ１の向きが周期的に変化する自励振動現象が発生する。
【００２８】
これにより、バーナ３では、外部からの駆動を行わずに、水平方向（第１の流体噴出口４の幅方向）において火炎Ｆｒの向きが周期的に変化する振動火炎を形成することが可能である。すなわち、振動火炎は、通常のバーナのように、流体の噴出方向のみに形成される火炎ではなく、拡開部１０の拡開した一方の壁面１０ａと他方の壁面１０ｂとの間で、一定周期で振れる火炎Ｆｒとなっている。
【００２９】
なお、自励振動ノズル６では、上述した流体供給路７、一対の開口部８ａ，８ｂ、連通路９及び拡開部１０の各部の寸法や、第１の流体Ｒ１の流速等の各種条件を設定することによって、振動火炎の振幅や周波数を適宜変更することが可能である。また、拡開部１０の開き角αについても、特に限定されるものではなく、所望する火炎Ｆｒの開き角に応じて適宜変更することが可能である。
【００３０】
以上のような構成を有する本実施形態の加熱炉１では、各バーナ３が火炎Ｆｒの向きを周期的に変化させる振動火炎を形成することから、バーナ３の本数を減らしながら、加熱室２の内部（炉内）を広範囲に且つ均一に加熱することが可能である。
【００３１】
したがって、上述したフォアハースと呼ばれる加熱炉１に本発明を適用した場合には、バーナ３の本数を減らしながら、加熱室２の内部（炉内）の温度を均一に保つことによって、溶融したガラス原料（被加熱物Ｓ）の均質化を図ることが可能である。
【００３２】
また、振動火炎は、燃焼量を上げても、通常のバーナが形成する火炎と比較して火炎の伸長が少ない。したがって、本実施形態の加熱炉１では、バーナ３を設置した側壁２ｃ（側壁２ｄ）とは反対側の側壁２ｄ（側壁２ｃ）を火炎Ｆｒにより損傷させるといったことを抑えることが可能である。
【００３３】
また、本実施形態の加熱炉１では、図２に示すように、加熱室２の炉長方向において隣り合う一方のバーナ３Ａと他方のバーナ３Ｂとの互いに接近する方向に拡開した拡開部１０の壁面１０ａ，１０ｂに沿った延長線Ｌ１，Ｌ２の互いの交点Ｃから、一方のバーナ３Ａ及び他方のバーナ３Ｂが設置される側壁２ｃまでの距離（以下、「バーナ３の設置間隔」という。）をＤ１としたときに、下記式（１）の関係を満足することが好ましい。
０．３Ｄ≦Ｄ１≦０．７Ｄ  …（１）  
【００３４】
バーナ３の設置間隔Ｄ１が上記式（１）を満足することによって、バーナ３の本数を減らしながら、加熱室２の内部（炉内）を広範囲に亘って効率良く均一に加熱することが可能である。
【００３５】
また、本実施形態の加熱炉１では、図２に示すように、火炎Ｆｒの長さをＤ２としたときに、下記式（２）の関係を満足することが好ましい。
０．３Ｄ≦Ｄ２≦０．７Ｄ  …（２）  
【００３６】
ここで、火炎Ｆｒの長さＤ２については、自励振動により火炎Ｆｒの向きを変えながらその長さが変化することから、バーナ３が設置される側壁２ｃとは反対側の側壁２ｄに火炎Ｆｒの先端が最も接近したときの火炎Ｆｒの先端からバーナ３が設置される側壁２ｃまでの距離とする。
【００３７】
火炎Ｆｒの長さＤ２が上記式（２）を満足することによって、バーナ３を設置した側壁２ｃ（側壁２ｄ）とは反対側の側壁２ｄ（側壁２ｃ）を火炎Ｆｒにより損傷させるといったことを抑えることが可能である。
【００３８】
なお、本発明は、上記実施形態のものに必ずしも限定されるものではなく、本発明の趣旨を逸脱しない範囲において種々の変更を加えることが可能である。
例えば、上記実施形態では、溶融したガラス原料（被加熱物Ｓ）の均質化を図るため、フォアハースと呼ばれる加熱炉１に本発明を適用した場合を例示しているが、それ以外にも、加熱室の内部に搬入された被加熱物を炉長方向に搬送しながら、被加熱物が加熱室の内部を通過する間に、被加熱物を加熱して加熱室の外部へと搬出する加熱炉に対して、本発明を幅広く適用することが可能である。また、被加熱物についても、上述したガラス原料に限定されるものではなく、本発明の加熱炉により加熱可能なものであればよい。
【実施例】
【００３９】
以下、実施例により本発明の効果をより明らかなものとする。なお、本発明は、以下の実施例に限定されるものではなく、その要旨を変更しない範囲で適宜変更して実施することができる。
【００４０】
本実施例では、上記加熱炉１を用いて、炉内温度の均一性についての評価を行った。具体的に、本実施例では、加熱室２の長さが１３００ｍｍ、加熱室２の高さが１５０ｍｍ、側壁２ｃ，２ｄ間の距離Ｄが９００ｍｍである加熱炉１を用いた。また、バーナ３は、両側の側壁２ｃ，２ｄにおいて隣り合うバーナ３の間隔Ｌが１００ｍｍとなるように、加熱室２の炉長方向に１１００ｍｍに亘って等間隔に並べて設置した。また、バーナ３は、拡開部１０開き角αは４５°であり、振動火炎の周期は０．０５秒（周波数２０Ｈｚ）である。
【００４１】
一方、比較例として、上記バーナ３の代わりに、一般的な二重管タイプのバーナを設置した加熱炉を用いて、炉内温度の均一性についての評価を行った。二重管タイプのバーナは、中心から燃料ガスとして都市ガスを噴出し、その周囲から酸化剤として空気又は純酸素を噴出させる構造とした。
【００４２】
以上のような加熱炉を用いて、下記表１に示す実施例１〜７及び比較例１〜５の試験条件にて、炉内温度の均一性についての評価を行った。
【００４３】
【表１】
2020051710.tif 000003
【００４４】
加熱炉の炉内温度の均一性については、バーナの列方向及び軸方向における温度分布を測定した。その測定結果を図６及び図７に示す。なお、図６は、各実施例１〜７及び比較例１〜５のバーナの列方向における炉内の温度分布を示すグラフである。また、図７は、各実施例１〜７及び比較例１〜５のバーナの軸方向における炉内の温度分布を示すグラフである。
【００４５】
図６に示すバーナの列方向における炉内の温度分布は、熱電対を用いた温度測定により、バーナの先端から軸方向に向かって１００ｍｍ離れた位置から、バーナが並ぶ方向（列方向）における温度分布を測定した。一方、図７に示すバーナの軸方向における炉内の温度分布は、熱電対を用いた温度測定により、バーナが並ぶ中心に位置するバーナの軸方向における温度分布を測定した。なお、図６及び図７に示すグラフでは、それぞれ距離０ｍｍの点を基準点とし、基準点からの温度差として表記している。
【００４６】
また、各実施例１〜７及び比較例１〜５について、燃料の使用量を確認し、燃料削減率（％）を求めた。その評価結果を上記表１に示す。燃料削減率は、比較例１における燃料使用量をＱmaxとし、評価する各実施例及び比較例における燃料使用量をＱとしたときに、（Ｑ／Ｑmax）×１００にて求まる値である。なお、表１に示す燃料（都市ガス）の流量及び酸化剤流量は、各実施例１〜７及び比較例１〜５におけるバーナ全体での流量を示している。
【００４７】
図６及び図７に示すように、比較例１は、従来型の二重管バーナを用いた空気燃焼での結果である。ベースとなる結果として、炉内が均一に加熱されていることがわかる。一方、比較例２は、従来型の二重管バーナを用いた酸素燃焼での結果である。比較例１と比較して、酸化剤を酸素とすることで、燃料使用量が大幅に削減されることがわかる。
【００４８】
一方、比較例３は、従来型の二重管バーナを用いて、バーナの設置間隔Ｄ１を拡大した場合の結果である。図６に示すように、バーナの列方向においてバーナの設置間隔Ｄ１を広げることで、隣接するバーナ間に温度の谷が生じ、均一加熱性が低下していることがわかる。
【００４９】
また、図７に示すように、バーナの軸方向において側壁近傍の温度が高くなる傾向となった。これは、燃焼量を保ちながらバーナの設置間隔Ｄ１を広げたため、バーナ１本当たりの燃焼量が増加し、火炎の長さＤ２が伸長した結果、火炎の先端が反対側の側壁に達したためと思われる。一般的に、従来型の二重管バーナでは、ノズル設計を適正化しても、火炎の長さＤ２を短くすることは困難である。
【００５０】
実施例１〜５及び比較例４，５は、自励振動によるバーナを用いて、バーナの設置間隔Ｄ１を変化させた結果である。実施例１〜３については、図６及び図７に示すように、均一な温度分布が得られた。
【００５１】
一方、比較例４は、図６に示すように、バーナの列方向において均一な温度分布が得られた。しかしながら、図７に示すように、バーナの軸方向において側壁付近の温度が高くなっている。これは、バーナの設置間隔Ｄ１が狭すぎるため、ノズル近傍への伝熱強度が強すぎるためと考えられる。
【００５２】
また、比較例５は、図７に示すように、バーナの軸方向において均一な温度分布を示している。しかしながら、図６にように、バーナの列方向において温度の谷がみられる。これは、バーナの設置間隔Ｄ１が広すぎるため、バーナでの加熱可能領域を外れ、温度ムラができたものと考えられる。
【００５３】
これに対して、実施例４〜７は、自励振動によるバーナを用いて、火炎の長さＤ２を変化させた際の結果である。このとき、火炎の長さＤ２は、自励振動によるバーナの振動数を適宜変化させることにより調節した。
【００５４】
実施例５及び実施例６は、図６及び図７に示すバーナの列方向及び軸方向において均一な温度分布が得られたことがわかる。
【００５５】
また、実施例４及び実施例７は、図６に示すバーナの列方向において均一な温度分布が得られた。一方、図７に示すバーナの軸方向において側壁付近の温度が若干高くなっていることがわかる。
【００５６】
実施例４は、火炎の長さＤ２が短くなることで、ノズル近傍で燃焼が完結してしまい、ノズルへの伝熱が強まり、側壁が過熱されたものと考えられる。
【００５７】
一方、実施例９は、火炎の長さＤ２が長くなることで、バーナが設置された側壁とは反対側の側壁まで火炎が到達し、側壁を過熱したものと考えられる。
【００５８】
以上のことから、実施例１〜７の結果から、炉内の温度を均一に保つためには、バーナの設置間隔Ｄ１を０．３Ｄ≦Ｄ１≦０．７Ｄとすることが好ましいことが明らかとなった。
【００５９】
また、実施例１〜３，５，６の結果から、側壁の損傷を抑えるためには、火炎の長さＤ２を０．３Ｄ≦Ｄ２≦０．７Ｄとすることが好ましいことが明らかとなった。
【符号の説明】
【００６０】
１…加熱炉  ２…加熱室  ２ｃ，２ｄ…側壁  ３…バーナ  ４…第１の流体噴出口  ５…第２の流体噴出口  ６…自励振動ノズル（ノズル構造）  Ｄ１…バーナの設置間隔  Ｄ２…火炎の長さ  Ｒ１…第１の流体  Ｒ２…第２の流体  Ｆｒ…火炎
【図１】
2020051710.tif 000004
【図２】
2020051710.tif 000005
【図３】
2020051710.tif 000006
【図４】
2020051710.tif 000007
【図５】
2020051710.tif 000008
【図６】
2020051710.tif 000009
【図７】
2020051710.tif 000010